(57)【要約】      （修正有）【課題】通信装置の通信状態によって冷却装置のオン／オフ動作の切り替え動作の頻度が上昇することを軽減し、もって通信装置全体の安定動作が行え、無線特性の悪化を防止する。【解決手段】無線通信装置または有線通信装置などの通信装置が発熱したときに、該通信装置を冷却するために行われる冷却制御において、前記通信装置が通信を行っている通信モードに応じて複数の冷却モードから所定の冷却モードを選択し、冷却を行うようにする。【選択図】図４
2011019091.tif 000002
【特許請求の範囲】
【請求項１】
通信装置を冷却する冷却装置であって、
前記通信装置による通信モードに応じて複数の冷却モードから所定の冷却モードを選択し、冷却を行うことを特徴とする冷却装置。
【発明の詳細な説明】
【技術分野】
【０００１】
本発明は、通信装置が通信を行っている通信モードによって、該通信装置を冷却するための冷却モードを切り替える冷却制御装置に関するものである。
【背景技術】
【０００２】
従来、通信装置が発熱したときに、該通信装置を冷却するために行われる冷却制御は、温度センサが実装された箇所周辺の温度が所定の閾値以上になった場合に冷却動作をオンし、閾値未満になった場合にオフさせるようにしたものが一般的である。本発明に関連する技術分野としては、下記特許文献が知られている。
【先行技術文献】
【特許文献】
【０００３】
【特許文献１】特開２０００−１１２５７４号公報
【発明の概要】
【発明が解決しようとする課題】
【０００４】
従来より、行われている冷却制御は、温度センサを実装した箇所の周辺温度を基準に冷却装置の冷却動作をオン／オフするものであるため、通信装置の通信状態（トラヒック状態）により発熱に変動が生じ、冷却装置のオン／オフの切り替え動作が頻発する。切り替え動作が頻発すると、負荷の変動状態が発生し、装置全体の安定動作が妨げられるとともに、無線特性が悪化するという虞がある。
【０００５】
本発明は、通信装置の通信状態によって冷却装置のオン／オフ動作の切り替え動作の頻度が上昇することを軽減し、もって通信装置全体の安定動作が行え、無線特性の悪化を防止することができる技術を提供することを目的とする。
【課題を解決するための手段】
【０００６】
上述した課題を解決するため、本発明の一態様は、通信装置を冷却する冷却装置であって、前記通信装置による通信モードに応じて複数の冷却モードから所定の冷却モードを選択し、冷却を行うものである。
【０００７】
なお、実施の形態においては、冷却装置として冷却ファンを有し、この冷却ファンを高速回転、中速回転、低速回転、停止させる４つの冷却モードが設けられ、さらに冷却モードの移行においては、高速側から低速側への移行もしくは回転状態から停止状態への移行においては、移行前の冷却モードが遅延されて移行後の冷却モードに移行される無線通信装置の冷却装置が開示されている。
【発明の効果】
【０００８】
本発明によれば、通信装置の通信状態によって冷却装置のオン／オフ動作の切り替え動作の頻度が上昇することを軽減し、もって通信装置全体の安定動作が行え、無線特性の悪化を防止することができるという効果を奏する。
【図面の簡単な説明】
【０００９】
【図１】図１は、本発明の実施の形態における通信装置を示すブロック図である。
【図２】冷却駆動部４の構成の一例を示すブロック図である。
【図３】冷却制御部の一例を示すブロック図である。
【図４】本発明の実施の形態の動作の一例を示す図である。
【図５】図４の動作を示すフローチャートである。
【発明を実施するための形態】
【００１０】
以下、本発明の実施の形態を図を用いて説明する。
図１は、本発明の実施の形態における通信装置を示すブロック図である。通信装置１０は、通信を行う通信部１、電源を供給する電源部２、通信装置１０の冷却を行う冷却部５、冷却部５の冷却制御信号を出力する冷却制御部３、冷却制御部３からの制御信号に基づいて冷却部５を駆動する冷却駆動部４を備える。なお、本実施の形態において、通信装置１０は無線通信装置と有線通信装置のいずれであってもよい。また冷却部５は、例えばファン（冷却ファン）で構成されている。また、冷却制御部３と冷却駆動部４および冷却部５は本発明の冷却装置を構成している。
【００１１】
図２は冷却駆動部４の構成の一例を示すブロック図である。冷却駆動部４は、冷却制御部３からの制御信号に基づいて、電源部２からの駆動電流を制御するとともに、制御された駆動電流を冷却部５へ出力するスイッチ（ＭＯＳＦＥＴ）７により構成されている。
【００１２】
図３は冷却制御部の構成の一例を示すブロック図である。冷却制御部３は、冷却制御信号Ａ、Ｂにより４つの通信モードを判定できるように構成されている。すなわち、通信装置の通信モードとしての送信モードは、１ＳＬＯＴ送信モード、２ＳＬＯＴ送信モード、３ＳＬＯＴ送信モード、４ＳＬＯＴ送信モードの４つのモードを有し、冷却制御信号Ａ、Ｂはそれら信号Ａ、Ｂの組み合わせにより、上述の４つの通信モードのどのモードが現在使用されているかを判定するための信号である。
【００１３】
これら信号Ａ、Ｂは、通信部１による送信モードに対応付けられてそれぞれの値（ハイ、ロー）が定められる。なお、これら冷却制御信号Ａ、Ｂは、図示しない冷却制御部３内で、通信部１における通信モードに基づいて形成される。
【００１４】
本例では、例えば冷却制御信号Ａ、Ｂが共にハイの場合は、通信モードは４ＳＬＯＴ送信モードであり、冷却制御信号Ａがハイで冷却制御信号Ｂがローのとき通信モードは３ＳＬＯＴ送信モードであり、冷却制御信号Ａがローで冷却制御信号Ｂがハイのとき通信モードは２ＳＬＯＴ送信モードであり、冷却制御信号Ａがローで冷却制御信号Ｂがローのとき通信モードは１ＳＬＯＴ送信モードとしている。
【００１５】
これら冷却制御信号Ａ、Ｂの組み合わせに応じた出力電流値の指示が判定回路３ａにより電源部２に伝達され、電源部２より、その指示に応じた駆動電流がスイッチ７を介して冷却部５に出力される。なお、スイッチ７は、出力電流値の指示の値に基づいて、駆動電流が冷却部５に供給されるべきときにオンされる回路構成となっている。
【００１６】
図４は、本実施の形態の動作を説明する図である。図４においては、まず最初に、通信モードが１ＳＬＯＴ送信モードのときにはファン（冷却ファン）は停止されたままとされる。次に、通信モードが４ＳＬＯＴ送信モードとなった場合、ファンは高速回転とされる。そして、通信モードが２ＳＬＯＴ送信モードとなるとファンは低速回転となり、次に通信モードが３ＳＬＯＴ送信モードにおいては、ファンは中速回転とされる。
【００１７】
また、図４にも示されるように、ファンの速い回転状態（高い送信モード）から遅い回転状態（より低い送信モード）、若しくはファンの回転状態（２〜４ＳＬＯＴ送信モード）からファンの停止状態である１ＳＬＯＴ送信モードに移行した場合は、ファンはある遅れ時間をもって最終速度もしくは停止状態とされる。この動作状態のディレイは回路もしくはソフトウェアにより構成してもよいし、ファンの回転慣性力を用いるようにしても良い。
【００１８】
図５は、図４に示した動作をフローチャートで示した動作図である。まず、通信装置１０（ここでは無線通信装置）の電源がオンされると（ステップＳ１）、まず、通信モードが１ＳＬＯＴ送信モードであるか否かが判定される（ステップＳ２）。
【００１９】
通信モードが１ＳＬＯＴ送信モードであると判定された場合は（ステップＳ２，Ｙ）、それまでファンが回転していたか否か、すなわち通信モードが４〜２ＳＬＯＴ送信モードのいずれかから１ＳＬＯＴ送信モードになったか否かが判定され（ステップＳ３）、４〜２ＳＬＯＴ送信モードのいずれかから１ＳＬＯＴ送信モードになったのではないと判定された場合（ステップＳ３，Ｎ）、ファンをそのまま停止状態とする（ステップＳ４）。
【００２０】
一方、ステップＳ３において、４〜２ＳＬＯＴ送信モードのいずれかから１ＳＬＯＴ送信モードになったと判定された場合は（ステップＳ３，Ｙ）、ファンを即停止させず、ディレイさせて停止させる（ステップＳ５、Ｓ４）。
【００２１】
次に、ステップＳ２において、通信モードが１ＳＬＯＴ送信モードでないと判定された場合（ステップＳ２，Ｎ）、次に通信モードが４ＳＬＯＴ送信モードか否かが判定される（ステップＳ６）。そして、４ＳＬＯＴ送信モードであると判定された場合は（ステップＳ６，Ｙ）、ファンを高速回転させる（ステップＳ７）。
【００２２】
一方、ステップＳ６において、通信モードが４ＳＬＯＴ送信モードであると判定されなかった場合は（ステップＳ６，Ｎ）、次に、３ＳＬＯＴ送信モードであるか否かが判定される（ステップＳ８）。そして、３ＳＬＯＴ送信モードであると判定された場合は（ステップＳ８，Ｙ）、それまでのファンの回転速度として、４ＳＬＯＴ送信モードから３ＳＬＯＴ送信モードになったか否かが判定され（ステップＳ９）、４ＳＬＯＴ送信モードから３ＳＬＯＴ送信モードになったのではないと判定された場合は（ステップＳ９，Ｎ）、ファンを低速回転させる（ステップＳ１０）。
【００２３】
一方、ステップＳ９において、４ＳＬＯＴ送信モードから３ＳＬＯＴ送信モードになった場合は（ステップＳ９，Ｙ）、ファンを即停止させず、ディレイさせて停止させる（ステップＳ１１、Ｓ１０）。
【００２４】
次に、ステップＳ８において、３ＳＬＯＴ送信モードであると判定されなかった場合は（ステップＳ８，Ｎ）、次に、２ＳＬＯＴ送信モードであるか否かが判定される（ステップＳ１２）。そして、２ＳＬＯＴ送信モードであると判定された場合は（ステップＳ１２，Ｙ）、それまでのファンの回転状態として、４ＳＬＯＴ送信モードから２ＳＬＯＴ送信モードになったか否か、もしくは、３ＳＬＯＴ送信モードから２ＳＬＯＴ送信モードになったか否かが判定され（ステップＳ１３）、判定結果が否定された場合は（ステップＳ１３，Ｎ）、ファンを中速回転させる（ステップＳ１４）。
【００２５】
一方、ステップＳ１３において、判定結果が肯定された場合は（ステップＳ１３，Ｙ）、ファンを即中速回転とはせず、ディレイさせてから中速回転させる（ステップＳ１５、Ｓ１４）。
【符号の説明】
【００２６】
１  通信部、２  電源部、３  冷却制御部、３ａ  判定回路、４  冷却駆動部、５  冷却部、１０  通信装置。
【図１】
2011019091.tif 000003
【図２】
2011019091.tif 000004
【図３】
2011019091.tif 000005
【図４】
2011019091.tif 000006
【図５】
2011019091.tif 000007